【手続補正書】
【提出日】平成17年3月2日(2005.3.2)
【手続補正１】
【補正対象書類名】特許請求の範囲
【補正対象項目名】全文
【補正方法】変更
【補正の内容】
【特許請求の範囲】
【請求項１】
オーディオ信号のタイムスケーリング及び／又はピッチシフティングを非可聴に又は最小限の可聴性で処理するようなオーディオ信号領域を特定するため多数のサイコアコースティックな基準を用いて上記オーディオ信号を分析し、
上記領域内でオーディオ信号のタイムスケーリング及び／又はピッチシフティング処理を行うことを含む、オーディオ信号のタイムスケーリング及び／又はピッチシフティングの方法。
【請求項２】
前記タイムスケーリング及び／又はピッチシフティングの処理は、
前記オーディオ信号領域のスプライスポイントを選定し、
当該スプライスポイントから始まるオーディオ信号の一部分を削除し、又は、当該スプライスポイントで終わるオーディオ信号を繰返し、
この結果生じたオーディオ信号を要求されたタイムスケーリング及び／又はピッチシフティングを生じるようなレートで読み出すことを含む、請求項１に記載の方法。
【請求項３】
前記タイムスケーリング及び／又はピッチシフティングの処理は、
前記オーディオ信号領域にスプライスポイントを選定し、当該スプライスポイントを導くオーディオ信号のリーディングセグメントを決定し、
前記スプライスポイントから間隔を置いてエンドポイントを選定し、当該エンドポイントの後に続くオーディオ信号のトレイリングセグメント、及び当該スプライスポイントとエンドポイントの間にターゲットセグメントを決定し、
前記リーディングセグメントとトレイリングセグメントとを前記スプライスポイントで結合し、当該エンドポイントが前記スプライスポイントより大きなサンプル数を有する場合は当該ターゲットセグメントを削除することでオーディオ信号のサンプルの数減少し、又は、当該エンドポイントが前記スプライスポイントより小さなサンプル数を有する場合は当該ターゲットセグメントを繰返すことでオーディオ信号サンプルの数を増大し、
結合されたリーディングセグメントとトレイリングセグメントを要求されたタイムスケーリング及び／又はピッチシフティングを生じるようなレートで読み出すことを含む、請求項１に記載の方法。
【請求項４】
結合されたリーディングセグメントとトレイリングセグメントが、
オリジナルの期間と同じ期間が当該オーディオ信号のピッチシフティングをもたらすような、
ターゲットセグメントを削除する場合において、サンプル数の減少による相対的な変化と同じ比率で減少した期間がオーディオ信号の時間圧縮をもたらすような、
ターゲットセグメントを繰返す場合において、サンプル数の増加による相対的な変化と同じ比率で増加した期間がオーディオ信号の時間拡張をもたらすような、
サンプル数の減少による相対的な変化とは異なる比率で減少した期間がオーディオ信号の時間圧縮とピッチシフティングをもたらすような、あるいは、
サンプル数の増加による相対的な変化とは異なる比率で増加した期間がオーディオ信号の時間拡張とピッチシフティングをもたらすようなレートで読み出だされる、請求項２又は請求項３に記載の方法。
【請求項５】
当該エンドポイントもまた前記領域内で選定されるような請求項３に記載の方法。
【請求項６】
多数のサイコアコースティックな基準を用いた前記オーディオ信号の分析には、前記オーディオ信号を分析し、当該オーディオが一群のサイコアコースティックな基準の少なくとも１つを満足するようなオーディオ信号の領域を決定することを含む請求項３に記載の方法。
【請求項７】
前記サイコアコースティックな基準には、
特定された前記オーディオ信号領域はトランジエントの結果により実質的にプレマスク又はポストマスクされていること、
特定された前記オーディオ信号領域は実質的に非可聴であること、
特定された前記オーディオ信号領域は全般的に高周波であること、及び
特定された前記オーディオ信号領域は、当該領域に先行する及び／又は続くセグメントの１以上の部分がより音が大きいオーディオ信号セグメントのより静かな部分であること、
の少なくとも１つの基準を含む請求項６に記載の方法。
【請求項８】
前記リーディングセグメントとトレイリングセグメントとをスプライスポイントで結合する前記ステップは、当該リーディングセグメントと当該トレイリングセグメントをクロスフェードすることを含む請求項３に記載の方法。
【請求項９】
ターゲットセグメントを削除することでオーディオ信号のサンプルの数を減少する場合は、前記エンドポイントは、スプライスポイントに続くオーディオのセグメントを自己相関計算することで選択される、請求項３に記載の方法。
【請求項１０】
ターゲットセグメントを繰返すことでオーディオ信号のサンプルの数を増加する場合は、前記エンドポイントは、スプライスポイントに先行するオーディオのセグメント及び後に続くオーディオのセグメントを自己相関計算することで選択される、請求項３に記載の方法。
【請求項１１】
ターゲットセグメントを削除することでオーディオ信号のサンプルの数を減少する場合又はターゲットセグメントを繰返すことでオーディオ信号のサンプルの数を増加する場合は、スプライスポイントの位置及びエンドポイントの位置は、
連続した各試験的なスプライスポイントの位置に隣り合うオーディオサンプルの領域に対して、連続した試験的なスプライスポイントの位置の周辺のオーディオサンプルの窓について相関計算し、そして、
最強の相関となる試験的なスプライスポイントの位置を決定し、この試験的なスプライスポイントの位置をスプライスポイントに指定し、最強の相関となる位置に実質的なエンドポイント位置を設定する、請求項３に記載の方法。
【請求項１２】
前記窓は方形窓である請求項１１に記載の方法。
【請求項１３】
前記窓は実質的にクロスフェードの幅を持つ請求項１２に記載の方法。
【請求項１４】
前記連続した試験的なスプライスポイントの位置は、２以上のオーディオサンプルにより間隔が保たれている請求項１１に記載の方法。
【請求項１５】
前記連続した試験的なスプライスポイントの位置は、実質的に前記窓の幅により間隔が保たれている請求項１１に記載の方法。
【請求項１６】
前記窓は実質的にクロスフェードの幅を持っている請求項１５に記載の方法。
【請求項１７】
ターゲットセグメントを削除することでオーディオ信号のサンプルの数を減少する場合に、連続した各試験的なスプライスポイントの位置に隣り合うオーディオサンプルの領域は、各試験的なスプライスポイント位置に続き、スプライスポイントがエンドポイントに先行する請求項１１に記載の方法。
【請求項１８】
ターゲットセグメントを繰返すことでオーディオ信号のサンプルの数を増加する場合に、連続した各試験的なスプライスポイントの位置に隣り合うオーディオサンプルの領域は、各試験的なスプライスポイント位置に続き、スプライスポイントとエンドポイントの地位が入れ替えられ、エンドポイントがスプライスポイントに先行する請求項１１に記載の方法。
【請求項１９】
ターゲットセグメントを繰返すことでオーディオ信号のサンプルの数を増加する場合に、連続した各試験的なスプライスポイントの位置に隣り合うオーディオサンプルの領域は、各試験的なスプライスポイント位置に先行し、エンドポイントがスプライスポイントに先行する請求項１１に記載の方法。
【請求項２０】
ターゲットセグメントを削除することでオーディオ信号のサンプルの数を減少する場合又はターゲットセグメントを繰返すことでオーディオ信号のサンプルの数を増加する場合において、スプライスポイントの位置とエンドポイントの位置は、
連続した各試験的なスプライスポイントの位置に隣り合うオーディオサンプルの領域に対して、連続した試験的なスプライスポイントの位置の周辺のオーディオサンプルの窓について相関計算し、前記オーディオサンプルのすべてを係数Ｍで縮小し、
最強の相関となる試験的なスプライスポイントの位置を決定し、この試験的なスプライスポイントの位置を縮小されたスプライスポイントに指定し、
第２の連続した各試験的なスプライスポイントの位置に隣り合う縮小されていないオーディオサンプルの領域に対して、前記縮小されたスプライスポイントのＭ個のサンプル内で、第２の連続した試験的なスプライスポイントの位置の周辺の縮小されていないオーディオサンプルの窓について相関計算し、
最強の相関となる試験的なスプライスポイントの位置を前記第２の連続部に決定し、この試験的なスプライスポイントの位置をスプライスポイントに指定し、最高の相関となる位置に実質的にエンドポイントの位置を設定する
ことにより、選定される請求項３に記載の方法。
【請求項２１】
オーディオ信号のタイムスケーリング及び／又はピッチシフティングを非可聴に又は最小限の可聴性で処理するようなオーディオ信号領域を特定するため少なくとも１つのサイコアコースティックな基準を用いて前記オーディオ信号の各々を分析し、
オーディオ信号の上記チャンネルの少なくとも１つの特定された領域内にあるタイムセグメントの期間に前記多数チャンネルのすべてのオーディオ信号のタイムスケーリング及び／又はピッチシフティング処理を行うことを含む、多数チャンネルのオーディオ信号のタイムスケーリング及び／又はピッチシフティングの方法。
【請求項２２】
さらに、多数チャンネルのオーディオ信号間で特定された領域の共通する重複部を特定し、
すべてのチャンネルの特定された領域内で前記処理が行われる、前記特定された領域の共通する重複部内ですべてのオーディオ信号のタイムスケーリング及び／又はピッチシフティング処理を行うことを含む、請求項２１に記載の方法。
【請求項２３】
多数の特定された領域の共通する重複部があり、前記特定された領域の共通する重複部は、特定された領域の共通する重複部の各々の特定された領域のサイコアコースティックな基準に上下関係を適用することにより、最適な共通の重複部を選択することで、前記特定された領域の共通する重複部がタイムスケーリング及び／又はピッチシフティング処理のために選択される、請求項２２に記載の方法。
【請求項２４】
前記タイムスケーリング及び／又はピッチシフティング処理は、
オーディオ信号のチャンネル間で共通のスプライスポイントを選択し、そこで、多数のオーディオ信号のチャンネルの各々にある前記共通のスプライスポイントからの結果として生まれるスプライスポイントは、お互いに一列に並べられ、前記共通のスプライスポイントが前記オーディオ信号のチャンネルの少なくとも１つの特定された領域内にあり、
スプライスポイントで始まる各チャンネルのオーディオ信号の一部分を削除するか、又は、スプライスポイントで終わる各チャンネルのオーディオ信号の一部分を繰返すかし、そして、
この結果生じた多数チャンネルのオーディオ信号を、要求されたタイムスケーリング及び／又はピッチシフティングが多数チャンネルのオーディオに対して生じるようなレートで読み出すことを含む、請求項２１に記載の方法。
【請求項２５】
さらに、特定された領域の共通する重複部分があるタイムセグメントを特定し、前記共通のスプライスポイントを、前記特定された領域の共通する重複部分内にオーディオ信号の間で選択する、請求項２４に記載の方法。
【請求項２６】
前記共通のスプライスポイントの選択は、少なくとも１つのサイコアコースティックな基準を用いて、クロスチャンネル効果を考慮に入れて前記スプライスポイントの位置を選択する、請求項２４に記載の方法。
【請求項２７】
前記タイムスケーリング及び／又はピッチシフティング処理は、
オーディオ信号の各チャンネル間の特定された領域に共通のスプライスポイントを選択し、そこで、多数のオーディオ信号のチャンネルの各々にある共通の前記スプライスポイントからの結果として生まれるスプライスポイントは、お互いに一列に並べられ、各スプライスポイントが当該スプライスポイントを導くオーディオ信号のリーディングセグメントを決定し、
スプライスポイントから間隔をあけて配置された前記特定された領域に共通のエンドポイントを選択し、多数のオーディオ信号のチャンネルのエンドポイントは、お互いに一列に並べられ、エンドポイントの後ろに続くオーディオ信号のトレイリングセグメントと、当該スプライスポイントとエンドポイントの間にターゲットセグメントを決定し、
前記リーディングセグメントとトレイリングセグメントとを前記スプライスポイントで結合し、当該エンドポイントが前記スプライスポイントより大きなサンプル数を有する場合は当該ターゲットセグメントを削除することでオーディオ信号のサンプルの数減少し、又は、当該エンドポイントが前記スプライスポイントより小さなサンプル数を有する場合は当該ターゲットセグメントを繰返すことでオーディオ信号サンプルの数を増大し、
オーディオ信号の各チャンネルで結合されたリーディングセグメントとトレイリングセグメントを、多数チャンネルのオーディオ信号に要求されたタイムスケーリング及び／又はピッチシフティングを生じるようなレートで読み出すことを含む、請求項１に記載の方法。
【請求項２８】
結合されたリーディングセグメントとトレイリングセグメントは、
オリジナルの期間と同じ期間が当該オーディオ信号のピッチシフティングをもたらすような、
ターゲットセグメントを削除する場合において、サンプル数の減少による相対的な変化と同じ比率で減少した期間がオーディオ信号の時間圧縮をもたらすような、
ターゲットセグメントを繰返す場合において、サンプル数の増加による相対的な変化と同じ比率で増加した期間がオーディオ信号の時間拡張をもたらすような、
サンプル数の減少による相対的な変化とは異なる比率で減少した期間がオーディオ信号の時間圧縮とピッチシフティングをもたらすような、あるいは、
サンプル数の増加による相対的な変化とは異なる比率で増加した期間がオーディオ信号の時間拡張とピッチシフティングをもたらすようなレートで読み出だされる、請求項２４又は請求項２７に記載の方法。
【請求項２９】
さらに、１以上の特定された領域に暫定的なスプライスポイントを配置し、前記共通のスプライスポイントの選択により、チャンネルの１つにある暫定的なスプライスポイントの位置を共通のスプライスポイント位置であると選定し、共通のスプライスポイント位置として選定された暫定的なスプライスポイントの位置は他の１以上の暫定的なスプライスポイントの位置と同時には起こることのないことを含む、請求項２７に記載の方法。
【請求項３０】
さらに、前記共通のスプライスポイントの選択は、特定された領域における共通の重複部分内に共通スプライスポイントを選択する、特定された領域における前記共通の重複部分を特定することを含む請求項２７に記載の方法。
【請求項３１】
前記共通のスプライスポイントの選択は、少なくとも１つのサイコアコースティックな基準を用いて、特定された領域における共通の重複部分内に前記共通スプライスポイントを選択する、請求項３０に記載の方法。
【請求項３２】
前記共通のスプライスポイントの選択は、少なくとも１つのサイコアコースティックな基準を用い、またクロスチャンネル効果も考慮に入れて、特定された領域における共通の重複部分に共通スプライスポイントを選択する、請求項３０に記載の方法。
【請求項３３】
前記共通のスプライスポイントの選択は、少なくとも１つのサイコアコースティックな基準を用いて、前記共通スプライスポイントを選択する、請求項２７に記載の方法。
【請求項３４】
前記共通のスプライスポイントの選択は、少なくとも１つのサイコアコースティックな基準を用い、またクロスチャンネル効果も考慮に入れて、共通スプライスポイントを選択する、請求項３３に記載の方法。
【請求項３５】
エンドポイントは、各オーディオ信号内の前記領域内にも選択される請求項２７に記載の方法。
【請求項３６】
前記、オーディオ信号の各チャンネル内に、非可聴に又は最小限の可聴性で、オーディオ信号のある部分の削除又はオーディオ信号のある部分の繰返しをおこなうような領域を特定するため、サイコアコースティックな基準を用いて前記オーディオ信号の各々のチャンネルを分析することには、オーディオ信号の各チャンネル内に、当該オーディオが少なくとも一群のサイコアコースティックな基準の少なくとも１つを満足するような領域を特定するために、前記オーディオ信号のチャンネルを分析することが含まれる、請求項２７に記載に記載の方法。
【請求項３７】
前記サイコアコースティックな基準には、
特定された前記オーディオ信号領域はトランジエントの結果により実質的にプレマスク又はポストマスクされていること、
特定された前記オーディオ信号領域は実質的に非可聴であること、
特定された前記オーディオ信号領域は全般的に高周波であること、及び
特定された前記オーディオ信号領域は、当該領域に先行する及び／又は続くセグメントの１以上の部分がより音が大きいオーディオ信号セグメントのより静かな部分であること、
の少なくとも１つの基準を含む請求項３２又は請求項３６に記載の方法。
【請求項３８】
前記オーディオ信号をオーディトリーイベントに分割し、
オーディトリーイベント内でタイムスケーリング及び／又はピッチシフティング処理を行うことを含む、オーディオ信号のタイムスケーリング及び／又はピッチシフティング方法。
【請求項３９】
前記タイムスケーリング及び／又はピッチシフティング処理は、
上記オーディオ信号領域のスプライスポイントを選定し、
当該スプライスポイントから始まるオーディオ信号の一部分を削除し、又は、当該スプライスポイントで終わるオーディオ信号を繰返し、
この結果生じたオーディオ信号を要求されたタイムスケーリング及び／又はピッチシフティングを生じるようなレートで読み出すことを含む、請求項３８に記載の方法。
【請求項４０】
前記タイムスケーリング及び／又はピッチシフティングの処理は、
前記オーディオ信号領域にスプライスポイントを選定し、当該スプライスポイントを導くオーディオ信号のリーディングセグメントを決定し、
前記スプライスポイントから間隔を置いてエンドポイントを選定し、当該エンドポイントの後に続くオーディオ信号のトレイリングセグメント、及び当該スプライスポイントとエンドポイントの間にターゲットセグメントを決定し、
前記リーディングセグメントとトレイリングセグメントとを前記スプライスポイントで結合し、当該エンドポイントが前記スプライスポイントより大きなサンプル数を有する場合は当該ターゲットセグメントを削除することでオーディオ信号のサンプルの数減少し、又は、当該エンドポイントが前記スプライスポイントより小さなサンプル数を有する場合は当該ターゲットセグメントを繰返すことでオーディオ信号サンプルの数を増大し、
結合されたリーディングセグメントとトレイリングセグメントを要求されたタイムスケーリング及び／又はピッチシフティングを生じるようなレートで読み出すことを含む、請求項３８に記載の方法。
【請求項４１】
結合されたリーディングセグメントとトレイリングセグメントが、
オリジナルの期間と同じ期間が当該オーディオ信号のピッチシフティングをもたらすような、
ターゲットセグメントを削除する場合において、サンプル数の減少による相対的な変化と同じ比率で減少した期間がオーディオ信号の時間圧縮をもたらすような、
ターゲットセグメントを繰返す場合において、サンプル数の増加による相対的な変化と同じ比率で増加した期間がオーディオ信号の時間拡張をもたらすような、
サンプル数の減少による相対的な変化とは異なる比率で減少した期間がオーディオ信号の時間圧縮とピッチシフティングをもたらすような、あるいは、
サンプル数の増加による相対的な変化とは異なる比率で増加した期間がオーディオ信号の時間拡張とピッチシフティングをもたらすようなレートで読み出だされる、請求項３９又は請求項４０に記載の方法。
【請求項４２】
リーディングセグメントとトレイリングセグメントとをスプライスポイントで結合する前記ステップは、当該リーディングセグメントと当該トレイリングセグメントをクロスフェードすることを含む請求項４０に記載の方法。
【請求項４３】
ターゲットセグメントを削除することでオーディオ信号のサンプルの数を減少する場合は、前記エンドポイントは、スプライスポイントに続くオーディオのセグメントを自己相関計算することで選択される、請求項４０に記載の方法。
【請求項４４】
ターゲットセグメントを繰返すことでオーディオ信号のサンプルの数を増加する場合は、前記エンドポイントは、スプライスポイントに先行するオーディオのセグメント及び後に続くオーディオのセグメントを自己相関計算することで選択される、請求項４０に記載の方法。
【請求項４５】
ターゲットセグメントを削除することでオーディオ信号のサンプルの数を減少する場合又はターゲットセグメントを繰返すことでオーディオ信号のサンプルの数を増加する場合は、スプライスポイントの位置及びエンドポイントの位置は、
連続した各試験的なスプライスポイントの位置に隣り合うオーディオサンプルの領域に対して、連続した試験的なスプライスポイントの位置の周辺のオーディオサンプルの窓について相関計算し、そして、
最強の相関となる試験的なスプライスポイントの位置を決定し、この試験的なスプライスポイントの位置をスプライスポイントに指定し、最強の相関となる位置に実質的なエンドポイント位置を設定する、請求項４０に記載の方法。
【請求項４６】
前記窓は方形窓である請求項４５に記載の方法。
【請求項４７】
前記窓は実質的にクロスフェードの幅を持つ請求項４６に記載の方法。
【請求項４８】
前記連続した試験的なスプライスポイントの位置は、２以上のオーディオサンプルにより間隔が保たれている請求項４５に記載の方法。
【請求項４９】
前記連続した試験的なスプライスポイントの位置は、実質的に前記窓の幅により間隔が保たれている請求項４８に記載の方法。
【請求項５０】
前記窓は実質的にクロスフェードの幅を持っている請求項４９に記載の方法。
【請求項５１】
ターゲットセグメントを削除することでオーディオ信号のサンプルの数を減少する場合に、連続した各試験的なスプライスポイントの位置に隣り合うオーディオサンプルの領域は、各試験的なスプライスポイント位置に続き、スプライスポイントがエンドポイントに先行する請求項４５に記載の方法。
【請求項５２】
ターゲットセグメントを繰返すことでオーディオ信号のサンプルの数を増加する場合に、連続した各試験的なスプライスポイントの位置に隣り合うオーディオサンプルの領域は、各試験的なスプライスポイント位置に続き、スプライスポイントとエンドポイントの地位が入れ替えられ、エンドポイントがスプライスポイントに先行する請求項１１に記載の方法。
【請求項５３】
ターゲットセグメントを繰返すことでオーディオ信号のサンプルの数を増加する場合に、連続した各試験的なスプライスポイントの位置に隣り合うオーディオサンプルの領域は、各試験的なスプライスポイント位置に先行し、エンドポイントがスプライスポイントに先行する請求項４５に記載の方法。
【請求項５４】
ターゲットセグメントを削除することでオーディオ信号のサンプルの数を減少する場合又はターゲットセグメントを繰返すことでオーディオ信号のサンプルの数を増加する場合において、スプライスポイントの位置とエンドポイントの位置は、
連続した各試験的なスプライスポイントの位置に隣り合うオーディオサンプルの領域に対して、連続した試験的なスプライスポイントの位置の周辺のオーディオサンプルの窓について相関計算し、前記オーディオサンプルのすべてを係数Ｍで縮小し、
最強の相関となる試験的なスプライスポイントの位置を決定し、この試験的なスプライスポイントの位置を縮小されたスプライスポイントに指定し、
第２の連続した各試験的なスプライスポイントの位置に隣り合う縮小されていないオーディオサンプルの領域に対して、前記縮小されたスプライスポイントのＭ個のサンプル内で、第２の連続した試験的なスプライスポイントの位置の周辺の縮小されていないオーディオサンプルの窓について相関計算し、
最強の相関となる試験的なスプライスポイントの位置を前記第２の連続部に決定し、この試験的なスプライスポイントの位置をスプライスポイントに指定し、最高の相関となる位置に実質的にエンドポイントの位置を設定する
ことにより、選定される請求項４０に記載の方法。
【請求項５５】
各チャンネル内のオーディオ信号をオーディトリーイベントに分割し、
オーディオ信号のいずれかのチャンネルでオーディトリーイベントの境界が発生したとき、各々が境界を持つような結合されたオーディトリーイベントを決定し、そして、
結合されたオーディトリーイベント内で前記オーディオ信号チャンネルにタイムスケーリング及び／又はピッチシフティング処理を、各々のチャンネルのオーディトリーイベント又はオーディトリーイベントの一部で行うことを含む、複数個のオーディオ信号チャンネルのタイムスケーリング及び／又はピッチシフティングの方法。
【請求項５６】
前記タイムスケーリング及び／又はピッチシフティング処理は、
オーディオ信号のチャンネル間で結合されたオーディトリーイベントを選択し、そこで、多数のオーディオ信号のチャンネルの各々にある共通の前記スプライスポイントからの結果として生まれるスプライスポイントは、実質的にお互いに一列に並べられ、
前記共通のスプライスポイントで始まる各チャンネルのオーディオ信号の一部分を削除するか、又は、前記共通のスプライスポイントで終わる各チャンネルのオーディオ信号の一部分を繰返すかし、そして、
この結果生じたチャンネル毎のオーディオ信号を、要求されたタイムスケーリング及び／又はピッチシフティングが多数チャンネルのオーディオに対して生じるようなレートで読み出すことを含む、請求項５５に記載の方法。
【請求項５７】
前記タイムスケーリング及び／又はピッチシフティング処理は、
オーディオ信号の各チャンネル間の結合されたオーディトリーイベントに共通のスプライスポイントを選択し、そこで、多数のオーディオ信号のチャンネルの各々にある共通の前記スプライスポイントからの結果として生まれるスプライスポイントは、実質的にお互いに一列に並べられ、各スプライスポイントが当該スプライスポイントを導くオーディオ信号のリーディングセグメントを決定し、
前記結合されたオーディトリーイベント内に前記共通のエンドポイントを選択して前記共通のスプライスポイントから間隔をあけて配置し、多数のオーディオ信号のチャンネルの各々にある前記共通のエンドポイントは、実質的にお互いに一列に並べられ、エンドポイントの後ろに続くオーディオ信号のトレイリングセグメントと、当該スプライスポイントとエンドポイントの間にターゲットセグメントを決定し、
前記リーディングセグメントとトレイリングセグメントとを前記スプライスポイントで結合し、当該エンドポイントが前記スプライスポイントより大きなサンプル数を有する場合は当該ターゲットセグメントを削除することでオーディオ信号のサンプルの数減少し、又は、当該エンドポイントが前記スプライスポイントより小さなサンプル数を有する場合は当該ターゲットセグメントを繰返すことでオーディオ信号サンプルの数を増大し、
オーディオ信号の各チャンネルで結合されたリーディングセグメントとトレイリングセグメントを、多数チャンネルのオーディオ信号に要求されたタイムスケーリング及び／又はピッチシフティングを生じるようなレートで読み出すことを含む、請求項５５に記載の方法。
【請求項５８】
結合されたリーディングセグメントとトレイリングセグメントが、
オリジナルの期間と同じ期間が当該オーディオ信号のピッチシフティングをもたらすような、
ターゲットセグメントを削除する場合において、サンプル数の減少による相対的な変化と同じ比率で減少した期間がオーディオ信号の時間圧縮をもたらすような、
ターゲットセグメントを繰返す場合において、サンプル数の増加による相対的な変化と同じ比率で増加した期間がオーディオ信号の時間拡張をもたらすような、
サンプル数の減少による相対的な変化とは異なる比率で減少した期間がオーディオ信号の時間圧縮とピッチシフティングをもたらすような、あるいは、
サンプル数の増加による相対的な変化とは異なる比率で増加した期間がオーディオ信号の時間拡張とピッチシフティングをもたらすようなレートで読み出だされる、請求項５６又は請求項５７に記載の方法。
【請求項５９】
各チャンネル内のオーディオ信号をオーディトリーイベントに分割し、
オーディオ信号のタイムスケーリング及び／又はピッチシフティングの処理が非可聴に又は最小限の可聴性で処理されるようなオーディトリーイベントを特定するためサイコアコースティックな基準を用いて前記オーディトリーイベントを分析し、
オーディオ信号のタイムスケーリング及び／又はピッチシフティングの処理が非可聴に又は最小限の可聴性で処理されるようなものとして特定されたオーディトリーイベント内でタイムスケーリング及び／又はピッチシフティング処理を行うことを含む、オーディオ信号のタイムスケーリング及び／又はピッチシフティングの方法。
【請求項６０】
前記少なくとも１つのサイコアコースティックな基準は、一群のサイコアコースティックな基準のうちの１つの基準である、請求項５９に記載の方法。
【請求項６１】
前記サイコアコースティックな基準には、
特定された前記オーディオ信号領域はトランジエントの結果により実質的にプレマスク又はポストマスクされていること、
特定された前記オーディオ信号領域は実質的に非可聴であること、
特定された前記オーディオ信号領域は全般的に高周波であること、及び
特定された前記オーディオ信号領域は、当該領域に先行する及び／又は続くセグメントの１以上の部分がより音が大きいオーディオ信号セグメントのより静かな部分であること、
の少なくとも１つの基準を含む請求項６０に記載の方法。
【請求項６２】
前記タイムスケーリング及び／又はピッチシフティングの処理は、
前記オーディトリーイベントにスプライスポイントを選定し、
当該スプライスポイントから始まるオーディオ信号の一部分を削除し、又は、当該スプライスポイントで終わるオーディオ信号を繰返し、
この結果生じたオーディオ信号を要求されたタイムスケーリング及び／又はピッチシフティングを生じるようなレートで読み出すことを含む、請求項５９に記載の方法。
【請求項６３】
前記タイムスケーリング及び／又はピッチシフティングの処理は、
前記オーディトリーイベント内にスプライスポイントを選定し、当該スプライスポイントを導くオーディオ信号のリーディングセグメントを決定し、
前記スプライスポイントから間隔を置いて前記オーディトリーイベント内にエンドポイントを選定し、当該エンドポイントの後に続くオーディオ信号のトレイリングセグメントと、当該スプライスポイントとエンドポイントの間にターゲットセグメントを決定し、
前記リーディングセグメントとトレイリングセグメントとを前記スプライスポイントで結合し、当該エンドポイントが前記スプライスポイントより大きなサンプル数を有する場合は当該ターゲットセグメントを削除することでオーディオ信号のサンプルの数を減少し、又は、当該エンドポイントが前記スプライスポイントより小さなサンプル数を有する場合は当該ターゲットセグメントを繰返すことでオーディオ信号サンプルの数を増大し、
結合されたリーディングセグメントとトレイリングセグメントを要求されたタイムスケーリング及び／又はピッチシフティングを生じるようなレートで読み出すことを含む、請求項５９に記載の方法。
【請求項６４】
結合されたリーディングセグメントとトレイリングセグメントが、
オリジナルの期間と同じ期間が当該オーディオ信号のピッチシフティングをもたらすような、
ターゲットセグメントを削除する場合において、サンプル数の減少による相対的な変化と同じ比率で減少した期間がオーディオ信号の時間圧縮をもたらすような、
ターゲットセグメントを繰返す場合において、サンプル数の増加による相対的な変化と同じ比率で増加した期間がオーディオ信号の時間拡張をもたらすような、
サンプル数の減少による相対的な変化とは異なる比率で減少した期間がオーディオ信号の時間圧縮とピッチシフティングをもたらすような、あるいは、
サンプル数の増加による相対的な変化とは異なる比率で増加した期間がオーディオ信号の時間拡張とピッチシフティングをもたらすようなレートで読み出だされる、請求項６２又は請求項６３に記載の方法。
【請求項６５】
前記リーディングセグメントとトレイリングセグメントとをスプライスポイントで結合する前記ステップは、当該リーディングセグメントと当該トレイリングセグメントをクロスフェードすることを含む請求項６３に記載の方法。
【請求項６６】
ターゲットセグメントを削除することでオーディオ信号のサンプルの数を減少する場合は、前記エンドポイントは、スプライスポイントに続くオーディオのセグメントを自己相関計算することで選択される、請求項６３に記載の方法。
【請求項６７】
ターゲットセグメントを繰返すことでオーディオ信号のサンプルの数を増加する場合は、前記エンドポイントは、スプライスポイントに先行するオーディオのセグメント及び後に続くオーディオのセグメントを自己相関計算することで選択される、請求項６３に記載の方法。
【請求項６８】
ターゲットセグメントを削除することでオーディオ信号のサンプルの数を減少する場合又はターゲットセグメントを繰返すことでオーディオ信号のサンプルの数を増加する場合は、スプライスポイントの位置及びエンドポイントの位置は、
連続した各試験的なスプライスポイントの位置に隣り合うオーディオサンプルの領域に対して、連続した試験的なスプライスポイントの位置の周辺のオーディオサンプルの窓について相関計算し、そして、
最強の相関となる試験的なスプライスポイントの位置を決定し、この試験的なスプライスポイントの位置をスプライスポイントに指定し、最強の相関となる位置に実質的なエンドポイント位置を設定する、請求項６３に記載の方法。
【請求項６９】
前記窓は方形窓である請求項６８に記載の方法。
【請求項７０】
前記窓は実質的にクロスフェードの幅を持つ請求項６９に記載の方法。
【請求項７１】
前記連続した試験的なスプライスポイントの位置は、２以上のオーディオサンプルにより間隔が保たれている請求項６８に記載の方法。
【請求項７２】
前記連続した試験的なスプライスポイントの位置は、実質的に前記窓の幅により間隔が保たれている請求項７１に記載の方法。
【請求項７３】
前記窓は実質的にクロスフェードの幅を持っている請求項７２に記載の方法。
【請求項７４】
ターゲットセグメントを削除することでオーディオ信号のサンプルの数を減少する場合に、連続した各試験的なスプライスポイントの位置に隣り合うオーディオサンプルの領域は、各試験的なスプライスポイント位置に続き、スプライスポイントがエンドポイントに先行する請求項６８に記載の方法。
【請求項７５】
ターゲットセグメントを繰返すことでオーディオ信号のサンプルの数を増加する場合に、連続した各試験的なスプライスポイントの位置に隣り合うオーディオサンプルの領域は、各試験的なスプライスポイント位置に続き、スプライスポイントとエンドポイントの地位が入れ替えられ、エンドポイントがスプライスポイントに先行する請求項６８に記載の方法。
【請求項７６】
ターゲットセグメントを繰返すことでオーディオ信号のサンプルの数を増加する場合に、連続した各試験的なスプライスポイントの位置に隣り合うオーディオサンプルの領域は、各試験的なスプライスポイント位置に先行し、エンドポイントがスプライスポイントに先行する請求項６８に記載の方法。
【請求項７７】
ターゲットセグメントを削除することでオーディオ信号のサンプルの数を減少する場合又はターゲットセグメントを繰返すことでオーディオ信号のサンプルの数を増加する場合において、スプライスポイントの位置とエンドポイントの位置は、
連続した各試験的なスプライスポイントの位置に隣り合うオーディオサンプルの領域に対して、連続した試験的なスプライスポイントの位置の周辺のオーディオサンプルの窓について相関計算し、前記オーディオサンプルのすべてを係数Ｍで縮小し、
最強の相関となる試験的なスプライスポイントの位置を決定し、この試験的なスプライスポイントの位置を縮小されたスプライスポイントに指定し、
第２の連続した各試験的なスプライスポイントの位置に隣り合う縮小されていないオーディオサンプルの領域に対して、前記縮小されたスプライスポイントのＭ個のサンプル内で、第２の連続した試験的なスプライスポイントの位置の周辺の縮小されていないオーディオサンプルの窓について相関計算し、
最強の相関となる試験的なスプライスポイントの位置を前記第２の連続部に決定し、この試験的なスプライスポイントの位置をスプライスポイントに指定し、最高の相関となる位置に実質的にエンドポイントの位置を設定する
ことにより、選定される請求項６３に記載の方法。
【請求項７８】
各チャンネル内のオーディオ信号をオーディトリーイベントに分割し、
オーディオ信号のタイムスケーリング及び／又はピッチシフティングの処理が非可聴に又は最小限の可聴性で処理されるようなオーディトリーイベントを特定するため、少なくとも１つのサイコアコースティックな基準を用いて前記オーディトリーイベントを分析し、
オーディオ信号のいずれかのチャンネルでオーディトリーイベントの境界が発生したところに、各々が境界を持つような結合されたオーディトリーイベントを決定し、
多数チャンネルオーディオ信号のタイムスケーリング及び／又はピッチシフティングの処理が、非可聴に又は最小限の可聴性で処理されるようなものとして特定された結合されたオーディトリーイベント内で、タイムスケーリング及び／又はピッチシフティング処理を行うことを含む、多数チャンネルオーディオ信号のタイムスケーリング及び／又はピッチシフティングの方法。
【請求項７９】
結合されたオーディトリーイベントは、結合されたオーディトリーイベントのタイムセグメント期間中に各多数チャンネルのオーディオのサイコアコースティックな特性に基づいて、多数チャンネルオーディオのタイムスケーリング及び／又はピッチシフティングの処理が、非可聴に又は最小限の可聴性で処理されるようなものとして特定される、請求項７８に記載の方法。
【請求項８０】
結合されたオーディトリーイベントのサイコアコースティックな質の順位は、結合されたオーディトリーイベントの期間中に多様なチャンネルの各々にあるオーディオのサイコアコースティックな基準に上下関係を適用することにより、決定される、請求項７９に記載の方法。
【請求項８１】
前記タイムスケーリング及び／又はピッチシフティング処理は、
オーディオ信号のチャンネル間で特定された結合されたオーディトリーイベント内にスプライスポイントを選択し、そこで、多数のオーディオ信号のチャンネルの各々にある前記共通のスプライスポイントからの結果として生まれるスプライスポイントは、実質的にお互いに一列に並べられ、
前記共通のスプライスポイントで始まる各チャンネルのオーディオ信号の一部分を削除するか、又は、前記共通のスプライスポイントで終わる各チャンネルのオーディオ信号の一部分を繰返すかし、そして、
この結果生じた多数チャンネルのオーディオ信号を、要求されたタイムスケーリング及び／又はピッチシフティングが多数チャンネルのオーディオに対して生じるようなレートで読み出すことを含む、請求項７７に記載の方法。
【請求項８２】
前記タイムスケーリング及び／又はピッチシフティング処理は、
オーディオ信号の各チャンネル間で特定された結合されたオーディトリーイベントに共通のスプライスポイントを選択し、そこで、多数のオーディオ信号のチャンネルの各々にある共通の前記スプライスポイントからの結果として生まれるスプライスポイントは、実質的にお互いに一列に並べられ、各スプライスポイントが当該スプライスポイントを導くオーディオ信号のリーディングセグメントを決定し、
前記共通のスプライスポイントから間隔をあけて配置された、前記結合されたオーディトリーイベント内に共通のエンドポイントを選択し、多数のオーディオ信号のチャンネルの各々の前記共通のエンドポイントからの結果として生まれるエンドポイントは、実質的にお互いに一列に並べられ、エンドポイントの後ろに続くオーディオ信号のトレイリングセグメントと、当該スプライスポイントとエンドポイントの間にターゲットセグメントを決定し、
前記リーディングセグメントとトレイリングセグメントとをオーディオ信号の各チャンネル内の前記スプライスポイントで結合し、当該エンドポイントが前記スプライスポイントより大きなサンプル数を有する場合は当該ターゲットセグメントを削除することでオーディオ信号のサンプルの数減少し、又は、当該エンドポイントが前記スプライスポイントより小さなサンプル数を有する場合は当該ターゲットセグメントを繰返すことでオーディオ信号サンプルの数を増大し、
オーディオ信号の各チャンネルで結合されたリーディングセグメントとトレイリングセグメントを、多数チャンネルのオーディオ信号に要求されたタイムスケーリング及び／又はピッチシフティングを生じるようなレートで読み出すことを含む、請求項７８に記載の方法。
【請求項８３】
前記オーディオ信号のオーディトリーイベントへの前記分割は
前記オーディオ信号の連続するタイムセグメントにおけるスペクトル内容を計算し、
前記オーディオ信号の連続するタイムセグメント間におけるスペクトル内容の差異を計算し、そして、
このように連続するタイムセグメント間におけるスペクトルプロファイルの内容の差異が閾値を超えたとき、連続するタイムセグメント間の境界に、オーディトリーイベントの境界を設定することを含む、請求項３８、３９、４０、又は５９のいずれか１項に記載された方法。
【請求項８４】
各チャンネルのオーディオ信号のオーディトリーイベントへの前記分割は
各チャンネルのオーディオ信号の連続するタイムセグメントにおけるスペクトル内容を計算し、
各チャンネルのオーディオ信号の連続するタイムセグメント間におけるスペクトル内容の差異を計算し、そして、
このように連続するタイムセグメント間におけるスペクトルプロファイルの内容の差異が閾値を超えたとき、連続するタイムセグメント間の境界に、各チャンネルのオーディトリーイベントの境界を設定することを含む、請求項５５、５６、５７、又は７８のいずれか１項に記載された方法。